(57)【特許請求の範囲】
【請求項１】
受信信号伝送用の伝送経路を介して端末側より供給される電圧信号を受けて動作し、通信衛星から送信された偏波面の異なる２種類の電波を夫々受信すると共に、該受信した各偏波信号を夫々所定周波数帯の受信信号に変換して前記伝送経路上に出力する衛星信号受信手段と、
前記衛星信号受信手段又は前記伝送経路上に設けられ、前記伝送経路を介して端末側より供給される電圧信号の電圧レベルに応じて、前記２種類の受信信号のうちの一方を選択して端末側に出力する偏波切換手段と、
前記伝送経路上に設けられ、前記伝送経路を介して端末側より供給される電圧信号を受けて動作し、前記伝送経路を介して前記衛星信号受信手段から伝送されてきた受信信号を増幅して端末側に出力すると共に、端末側より供給された電圧信号を前記衛星信号受信手段側に出力する受信信号増幅手段と、
前記衛星信号受信手段，偏波切換手段及び受信信号増幅手段よりも端末側の伝送経路上に設けられ、受信すべき偏波信号に応じて電圧レベルが設定された偏波切換信号を前記伝送経路又は専用の信号線を介して端末装置から受けて、該偏波切換信号と同レベルで、かつ少なくとも前記衛星信号受信手段，偏波切換手段，及び受信信号増幅手段を動作させるに充分な電力量の電圧信号を生成し、該生成した電圧信号を前記伝送経路を介して前記衛星信号受信手段側に出力すると共に、前記伝送経路を介して前記衛星信号受信手段側より伝送されてきた受信信号を端末側に出力する電源供給手段と、
を備えたことを特徴とする衛星受信システム。
【請求項２】
前記衛星信号受信手段は、前記伝送経路を介して端末側より第１電圧信号を受けると前記２種類の偏波信号のうちの第１偏波信号を所定周波数帯の受信信号に変換して伝送経路上に出力し、該第１電圧信号とは電圧レベルが異なる第２電圧信号を受けると前記２種類の偏波信号のうちの第２偏波信号を所定周波数帯の受信信号に変換して伝送経路上に出力する受信部を備え、該受信部により前記偏波切換手段の機能を実現するよう構成されていることを特徴とする請求項１に記載の衛星受信システム。
【請求項３】
前記衛星信号受信手段は、前記電圧信号を受けることにより前記２種類の偏波信号を夫々周波数変換し、該周波数変換した２種類の受信信号を各信号伝送用の一対の伝送経路へ夫々出力する一対の周波数変換部を備え、
前記受信信号増幅手段は、前記一対の伝送経路を介して前記各周波数変換部から伝送されてきた受信信号を夫々増幅し、出力端子から端末側に出力すると共に、該出力端子に端末側から供給された電圧信号を前記一対の伝送経路を介して各周波数変換部に夫々出力する一対の増幅器を備え、
前記偏波切換手段は、
前記各増幅器の出力端子の一方を一つの伝送経路を介して前記電源供給手段に接続する信号経路切換手段と、
前記電源供給手段から前記伝送経路を介して供給された電圧信号が第１電圧信号か第２電圧信号かを判定し、該判定結果に応じて前記信号経路切換手段を切り換えることにより、前記電圧信号に対応した受信信号を端末側に出力させる電圧判定手段と、
を備えたことを特徴とする請求項１に記載の衛星受信システム。
【請求項４】
前記衛星信号受信手段は、前記電圧信号を受けることにより前記２種類の偏波信号を夫々周波数変換し、該周波数変換した２種類の受信信号を各信号伝送用の一対の伝送経路へ夫々出力する一対の周波数変換部を備え、
前記衛星信号受信手段よりも端末側に、前記各周波数変換部からの受信信号を夫々増幅する一対の受信信号増幅手段と、該増幅後の受信信号を夫々複数に分配する一対の分配回路を内蔵した衛星信号分配手段とを設け、
該衛星信号分配手段に、
前記偏波切換手段として、
前記一対の分配回路にて分配された２種類の受信信号を夫々受けて、該信号の内のいずれかを選択し、該選択した受信信号を、当該衛星信号分配手段に受信信号の分配数だけ設けられた分配出力端子から伝送経路を介して端末側に出力する複数の分配出力切換手段と、
前記各分配出力端子に伝送経路を介して端末側から入力される信号の電圧レベルが第１電圧信号か第２電圧信号かを夫々判定し、該判定結果に応じて対応する分配出力切換手段を切り換えることにより、端末側から入力された電圧信号に対応した偏波面の受信信号を各分配出力端子から端末側に夫々出力させる複数の電圧判定手段とを設け、
更に、前記複数の分配出力端子の内の少なくとも一つに、該分配出力端子に伝送経路を介して端末側から入力された電圧信号を、前記一対の伝送経路を介して前記各周波数変換部に夫々出力すると共に、該電圧信号にて当該衛星信号分配手段の内部回路に電源供給を行う電源回路を接続し、
前記電源供給手段を、前記衛星信号分配手段において前記電源回路が接続された分配出力端子から端末側に至る伝送経路上に配置したことを特徴とする請求項１に記載の衛星受信システム。
【請求項５】
請求項１〜請求項４いずれか記載の衛星受信システムにおいて電源供給手段として使用される電源装置であって、
商用電源からの交流電圧を所定電圧に変圧して整流することにより所定の直流電源電圧を生成する変圧・整流部と、
端末より伝送されてきた偏波切換信号を分離・抽出する偏波切換信号抽出部と、
該偏波切換信号抽出部にて分離・抽出された偏波切換信号から、第１電圧信号及び第２電圧信号のいずれを前記衛星信号受信手段側に供給するかを判定する判定部と、
該判定部による判定結果に応じて、前記変圧・整流部にて生成された直流電源電圧から、少なくとも前記衛星信号受信手段，偏波切換手段，及び受信信号増幅手段を動作させるに充分な電力量の第１電圧信号又は前記第２電圧信号を生成する定電圧電源部と、
該定電圧電源部にて生成された第１電圧信号又は第２電圧信号を、前記伝送経路を介して前記衛星信号受信手段側に出力すると共に、前記伝送経路を介して前記衛星信号受信手段側から伝送されてきた受信信号を端末側に出力する電圧信号重畳部と、
を備えたことを特徴とする電源装置。
【発明の詳細な説明】
【０００１】
【発明の属する技術分野】
本発明は、通信衛星から送信された相互に偏波面の異なる２種類の電波を受信することにより得られる２種類の受信信号を端末側に選択的に伝送するのに好適な衛星受信システム、及び、このシステムで使用される電源装置に関する。
【０００２】
【従来の技術】
従来より、通信衛星（以下、単にＣＳともいう）からの送信電波を受信する衛星受信アンテナ（以下、ＣＳアンテナともいう）として、ＣＳから送信された偏波面が直交する２種類の電波、又は偏波面の旋回方向が互いに異なる２種類の電波を受信可能なものが知られている。
【０００３】
そして、この種のＣＳアンテナには、例えば、受信信号の出力端子に偏波切換・電源供給兼用の第１電圧信号（一般には直流１１Ｖ）を受けると、直交２偏波の内の垂直偏波の電波を所定周波数帯の受信信号に変換して出力し、受信信号の出力端子に偏波切換・電源供給兼用の第２電圧信号（一般には直流１５Ｖ）を受けると、直交２偏波の内の水平偏波の電波を所定周波数帯の受信信号に変換して出力する受信部を備えたものがある。
【０００４】
また、この種のＣＳアンテナからの受信信号を受けて、映像信号や音声信号を復調する受信端末装置（所謂ＣＳチューナ）は、通常、復調すべき受信信号の偏波面に対応した第１電圧信号又は第２電圧信号を、受信信号の入力端子からＣＳアンテナ側に出力できるようにされている。
【０００５】
【発明が解決しようとする課題】
ところで、上記のようなＣＳアンテナを実際に設置し、ＣＳアンテナからの受信信号を分配器等で分配して複数の端末に伝送するようにした場合や、ＣＳアンテナから端末まで受信信号を伝送する伝送経路が長くなった場合等には、ＣＳアンテナから端末までの伝送経路で受信信号が減衰し、端末側に設置したＣＳチューナで良好な受信特性が得られなくなることがある。
【０００６】
このような問題を解決するには、ＣＳアンテナから端末までの伝送経路上に、ＣＳアンテナからの受信信号を増幅可能な増幅器（以下、ブースタともいう）を設ければよいが、ブースタにはＣＳチューナ側から電源供給を行なうことができない。つまり、ＣＳチューナに内蔵されたＣＳアンテナ（詳しくは受信部）駆動用の電源回路は、ＣＳアンテナの受信部への電源供給を行なうためのものであるため、偏波切換・電源供給兼用の第１電圧信号及び第２電圧信号を選択的に出力することはできるものの、その電圧信号の電力容量は少なく、これら各電圧信号によりＣＳアンテナへの電源供給とブースタへの電源供給とを同時に行なうことはできない。
【０００７】
このため、ＣＳアンテナから端末までの伝送経路に受信信号増幅用のブースタを設けた場合には、ブースタに商用電源から直接電源供給を行なうようにする必要があり、ブースタを屋外に設置されたＣＳアンテナの真下に設置することが難しいといった問題があった。つまり、受信信号を劣化させることなく端末側に伝送するには、アンテナ直下にブースタを設けることが望ましいが、このようにするには、防水対策を施した商用電源供給用の電源端子を設置しなければならず、その配線工事が面倒であるとか、漏電等の安全対策が難しいという問題があり、一般家庭における所謂ホーム共同受信等では、アンテナ直下にブースタを設けることができず、受信特性を向上するには限界があった。
【０００８】
またこの問題を解決するために、ブースタには、専用の電源装置を用いて、ＣＳアンテナに電源供給を行なう受信信号の伝送経路とは別の電源供給経路で電源供給を行なうようにすることも考えられるが、この場合、受信信号伝送用の伝送経路とは別に電源供給経路を設けなければならず、配線が面倒になる。
【０００９】
なお、上記問題は、ＣＳアンテナからの受信信号のみを端末側に伝送する衛星受信システムに限らず、例えば、ＣＳアンテナからの受信信号と、地上のテレビ放送電波を受信するＶＨＦアンテナ，ＵＨＦアンテナや放送衛星（ＢＳ）からの放送電波を受信するＢＳアンテナ等の他のアンテナからの受信信号とを混合し、他のアンテナからの受信信号のみを増幅するブースタを設けた共同受信システム等でも同様に発生する。
【００１０】
本発明は、こうした問題に鑑みなされたものであり、ＣＳアンテナから端末側への受信信号の伝送経路に増幅器を備えた衛星受信システムにおいて、受信信号の偏波切換，ＣＳアンテナへの電源供給，及び増幅器への電源供給を、受信信号の伝送経路を使って同時に行なえるようにすることを目的とする。
【００１１】
【課題を解決するための手段及び発明の効果】
かかる目的を達成するためになされた請求項１に記載の衛星受信システムにおいては、受信信号伝送用の伝送経路を介して端末側より供給される電圧信号を受けて動作し、通信衛星から送信された偏波面の異なる２種類の電波を夫々受信すると共に、その受信した各偏波信号を夫々所定周波数帯の受信信号に変換して伝送経路上（つまり端末側）に出力する衛星信号受信手段を備える。そして、この衛星信号受信手段、又は衛星信号受信手段から端末側に受信信号を伝送する伝送経路上には、伝送経路を介して端末側より供給される電圧信号の電圧レベルに応じて、２種類の受信信号のうちの一方を選択して端末側に出力する偏波切換手段が設けられる。また、受信信号の伝送経路上には、伝送経路を介して端末側より供給される電圧信号を受けて動作し、伝送経路を介して衛星信号受信手段から伝送されてきた受信信号を増幅して端末側に出力すると共に、端末側より供給された電圧信号を前記衛星信号受信手段側に出力する受信信号増幅手段が設けられる。
【００１２】
そして、衛星信号受信手段，偏波切換手段及び受信信号増幅手段よりも端末側の伝送経路上には、受信すべき偏波信号に応じて電圧レベルが設定された偏波切換信号を伝送経路又は専用の信号線を介して端末装置から受けて、この偏波切換信号と同レベルで、かつ少なくとも衛星信号受信手段，偏波切換手段，及び受信信号増幅手段を動作させるに充分な電力量の電圧信号を生成し、その生成した電圧信号を伝送経路を介して衛星信号受信手段側に出力すると共に、伝送経路を介して衛星信号受信手段側より伝送されてきた受信信号を端末側に出力する電源供給手段が設けられる。
【００１３】
このため、請求項１に記載の衛星受信システムによれば、例えば、端末側に前述のＣＳチューナを設け、このＣＳチューナから衛星受信アンテナ側へ偏波切換信号を出力するようにすれば、電源供給手段にて、この偏波切換信号と同レベルで、かつ衛星信号受信手段，偏波切換手段，及び受信信号増幅手段を動作させるに充分な電力量の電圧信号が生成される。そして、その生成された電圧信号は、伝送経路を介して衛星信号受信手段側に伝送されることから、この電圧信号にて、伝送経路上に設けられた受信信号増幅手段，偏波切換手段，及び衛星信号受信手段を夫々動作させることができる。従って、ＣＳチューナ等の端末装置には、衛星信号受信手段にて受信・周波数変換された２種類の偏波面の受信信号の内、端末装置から出力した偏波切換信号に対応した受信信号が伝送されることになり、端末装置では、所望の偏波面の受信信号を得ることができる。
【００１４】
そして、本発明によれば、電源供給手段が生成した電圧信号により上記各手段を動作させることができるので、従来のように、伝送経路上に設けた増幅器（受信信号増幅手段）に対して、商用電源から直接電源を供給するとか、或は受信信号の伝送経路とは別系統で電源を供給する、といった必要はない。この結果、受信信号増幅手段を、アンテナ直下に設けることが可能になり、良好な受信特性が得られる衛星受信システムを極めて容易に構築することが可能になる。
【００１５】
なお、端末から電源供給手段への偏波切換信号の入力は、受信信号の伝送経路を介して行なうようにしてもよく、この伝送経路とは別の信号線を使って行なうようにしてもよい。これは、電源供給手段は、上記各手段に対して受信信号の伝送経路を介して動作用の電圧信号を供給するものであり、ＣＳチューナ等の端末装置付近に配置できるからである。つまり、電源供給手段としての電源装置を端末装置付近に配置した場合には、端末装置から直接偏波切換信号を入力するようにしても、偏波切換信号入力用の信号線の配線を簡単に行なうことができるので、電源供給手段への偏波切換信号の入力経路については適宜設定すればよい。
【００１６】
次に、請求項２に記載の発明は、請求項１に記載の衛星受信システムにおいて、衛星信号受信手段が、伝送経路を介して端末側より第１電圧信号を受けると２種類の偏波信号のうちの第１偏波信号を所定周波数帯の受信信号に変換して伝送経路上に出力し、第１電圧信号とは電圧レベルが異なる第２電圧信号を受けると２種類の偏波信号のうちの第２偏波信号を所定周波数帯の受信信号に変換して伝送経路上に出力する受信部、換言すれば偏波切換手段としての機能を有する受信部、を備えたことを特徴とする。
【００１７】
そして、この衛星受信システムにおいても、電源供給手段が生成した電圧信号により、伝送経路上の受信信号増幅手段及び衛星信号受信手段の受信部に電源供給を行い、且つ、衛星信号受信手段に設けられた受信部により、端末側に伝送する受信信号の偏波切換を行うことができるので、請求項１に記載のシステムと同様の効果を得ることができる。
【００１８】
一方、請求項３に記載の発明は、請求項１に記載の衛星受信システムにおいて、衛星信号受信手段が、電圧信号を受けることにより２種類の偏波信号を夫々周波数変換し、その周波数変換した２種類の受信信号を各信号伝送用の一対の伝送経路へ夫々出力する一対の周波数変換部を備え、受信信号増幅手段が、一対の伝送経路を介して各周波数変換部から伝送されてきた受信信号を夫々増幅し、出力端子から端末側に出力すると共に、出力端子に端末側から供給された電圧信号を一対の伝送経路を介して各周波数変換部に夫々出力する一対の増幅器を備え、偏波切換手段が、各増幅器の出力端子の一方を一つの伝送経路を介して電源供給手段に接続する信号経路切換手段と、電源供給手段から伝送経路を介して供給された電圧信号が第１電圧信号か第２電圧信号かを判定し、その判定結果に応じて信号経路切換手段を切り換えることにより、電圧信号に対応した受信信号を端末側に出力させる電圧判定手段とを備えたことを特徴とする。
【００１９】
即ち、通信衛星から送信された偏波面が異なる電波を受信する衛星受信アンテナとしては、偏波切換機能を有する前述の受信部を備えたアンテナの他、２種類の偏波信号を個々に周波数変換可能な一対の周波数変換部（所謂コンバータ）を備えたものや、特定の偏波信号のみを周波数変換可能な周波数変換部を備えたものが知られている。
【００２０】
そこで、請求項３に記載の衛星受信システムは、こうした一対の周波数変換部を備えた衛星受信アンテナを使用するか、或いは特定の偏波信号のみを周波数変換可能な周波数変換部を備えた衛星受信アンテナを２個使用することにより、一対の周波数変換部を備えた衛星信号受信手段を構成し、各周波数変換部からの受信信号を一対の増幅器にて夫々増幅し、偏波切換手段にて、その増幅後の受信信号の一方を、電源供給手段にて生成された電圧信号に応じて選択して端末側に伝送するようにしているのである。そして、この衛星受信システムにおいても、電源供給手段が生成した電圧信号により、伝送経路上の受信信号増幅手段（一対の増幅器）及び衛星信号受信手段の各周波数変換部に電源供給を行い、且つ偏波切換手段に受信信号の偏波切換を実行させることができるので、請求項１に記載のシステムと同様の効果を得ることができる。
【００２１】
また、本発明では、衛星信号受信手段に一対の周波数変換部が備えられると共に、各周波数変換部に対応して一対の増幅器が備えられるが、偏波切換手段においては、電圧判定手段が、端末側から供給された電圧信号に応じて、信号経路切換手段を切り換えることにより、端末側に伝送する必要のない受信信号を増幅する増幅器及び周波数変換部への電圧信号の供給経路（つまり受信信号の伝送経路）を遮断するので、電源供給手段は、周波数変換部と増幅器とからなる２系統の受信信号処理部の内の一方を動作させることのできる電圧信号を生成すればよく、請求項２に記載の衛星受信システムに比べ、消費電力が増加するといったことはない。
【００２２】
次に、請求項４に記載の発明は、請求項１に記載の衛星受信システムにおいて、衛星信号受信手段を、電圧信号を受けることにより２種類の偏波信号を夫々周波数変換し、その周波数変換した２種類の受信信号を各信号伝送用の一対の伝送経路へ夫々出力する一対の周波数変換部を備えたものにて構成すると共に、この衛星信号受信手段よりも端末側に、各周波数変換部からの受信信号を夫々増幅する一対の受信信号増幅手段と、増幅後の受信信号を夫々複数に分配する一対の分配回路を内蔵した衛星信号分配手段とを設けたものである。
【００２３】
そして、衛星信号分配手段には、前述の偏波切換手段として、一対の分配回路にて分配された２種類の受信信号を夫々受けて、該信号の内のいずれかを選択し、選択した受信信号を、当該衛星信号分配手段に受信信号の分配数だけ設けられた分配出力端子から伝送経路を介して端末側に出力する複数の分配出力切換手段と、各分配出力端子に伝送経路を介して端末側から入力される信号の電圧レベルが第１電圧信号か第２電圧信号かを夫々判定し、その判定結果に応じて対応する分配出力切換手段を切り換えることにより、端末側から入力された電圧信号に対応した偏波面の受信信号を各分配出力端子から端末側に夫々出力させる複数の電圧判定手段とが設けられ、しかも、複数の分配出力端子の内の少なくとも一つには、分配出力端子に伝送経路を介して端末側から入力された電圧信号を、一対の伝送経路を介して各周波数変換部に夫々出力すると共に、この電圧信号にて当該衛星信号分配手段の内部回路に電源供給を行う電源回路が接続される。また、電源供給手段は、衛星信号分配手段において電源回路が接続された分配出力端子から端末側に至る伝送経路上に配置される。
【００２４】
この結果、請求項４に記載の衛星受信システムにおいては、衛星信号分配手段の各分配出力端子から、伝送経路（又は伝送経路と電源供給手段）を介して接続された端末からの偏波切換信号に応じた偏波面の受信信号が出力されることになり、各端末側では、所望の偏波面の受信信号を得ることができる。
【００２５】
またこのようにするには、衛星信号受信手段に設けられた一対の周波数変換部及びこれに対応した一対の受信信号増幅手段に対して常時電源を供給して動作させておく必要があるが、本発明では、この電源供給用の電圧信号を、衛星信号分配手段から端末側に至る複数の伝送経路の一つに設けられた電源供給手段にて生成し、更に、この生成された電圧信号を、衛星信号分配手段に設けられた電源回路が各周波数変換部側に出力するようにされているので、一対の受信信号増幅手段及び一対の周波数変換部を、電源供給手段からの電圧信号によって常時動作させることができる。
【００２６】
従って、請求項４に記載の衛星受信システムにおいても、請求項１に記載のシステムと同様の効果を得ることができる。
次に、請求項５に記載の発明は、請求項１〜請求項４いずれか記載の衛星受信システムにおいて電源供給手段として使用される電源装置である。そして、この電源装置においては、変圧・整流部が、商用電源からの交流電圧を所定電圧に変圧して整流することにより所定の直流電源電圧を生成し、偏波切換信号抽出部が、ＣＳチューナ等の端末より伝送されてきた偏波切換信号を分離・抽出する。
【００２７】
また、判定部が、偏波切換信号抽出部にて分離・抽出された偏波切換信号から、第１電圧信号及び第２電圧信号のいずれを衛星信号受信手段側に供給するかを判定し、定電圧電源部が、この判定部による判定結果に応じて、変圧・整流部にて生成された直流電源電圧から、少なくとも衛星信号受信手段，偏波切換手段，及び受信信号増幅手段を動作させるに充分な電力量の第１電圧信号又は第２電圧信号を生成し、電圧信号重畳部が、この定電圧電源部にて生成された第１電圧信号又は第２電圧信号を、伝送経路を介して衛星信号受信手段側に出力すると共に、伝送経路を介して衛星信号受信手段側から伝送されてきた受信信号を端末側に出力する。
【００２８】
従って、本発明の電源装置によれば、端末に設置されたＣＳチューナ等から出力された偏波切換信号と同じ電圧レベルで、しかも、衛星信号受信手段，偏波切換手段，及び受信信号増幅手段を動作させるに充分な電力量の電圧信号を生成することができる。
【００２９】
【発明の実施の形態】
以下に本発明の実施例を図面と共に説明する。
［第１実施例］
まず図１は本発明が適用された第１実施例の共同受信システム全体の構成を表わす概略構成図である。
【００３０】
図１に示す如く、本実施例の共同受信システムは、一般家庭で、屋外に設置したアンテナからの受信信号を各部屋に伝送する所謂ホーム共同受信用の受信システムであり、テレビ放送受信用のアンテナとして、通信衛星（ＣＳ）から送信された直交２偏波の送信電波を受信するオフセット型のパラボラアンテナ（ＣＳアンテナ）２と、地上局から送信されたＶＨＦ帯及びＵＨＦ帯のテレビ放送電波を夫々受信するＶＨＦアンテナ４及びＵＨＦアンテナ６とを備える。
【００３１】
ＣＳアンテナ２は、本発明（詳しくは請求項２に記載）の衛星信号受信手段に相当するものであり、反射鏡２ａと、支持腕２ｂを介して反射鏡２ａの焦点位置に配置された受信部２ｃとからなる。受信部２ｃは、端末側より受信信号の出力端子に入力される偏波切換・電源供給兼用の電圧信号によって動作し、反射鏡２ａにて集波されたＣＳからの直交２偏波の送信電波を第１偏波信号，第２偏波信号として夫々受信すると共に、出力端子に入力された電圧信号に応じて第１偏波信号，第２偏波信号の内のいずれか一方を選択し、その選択した偏波信号を所定周波数帯（例えば９５０〜１５００ＭＨｚ）の受信信号に変換して出力する。なお、本実施例では、受信部２ｃは、第１電圧信号として出力端子に直流１１Ｖを受けると、第１偏波信号としての垂直偏波信号を周波数変換した受信信号を出力端子から出力し、第２電圧信号として出力端子に直流１５Ｖを受けると、第２偏波信号としての水平偏波信号を周波数変換した受信信号を出力端子から出力するものとする。
【００３２】
次に、上記各アンテナ２〜６の出力端子は、夫々、同軸ケーブルを介して、受信信号の増幅器であるＶＵ・ＣＳブースタ１８の各受信信号用の入力端子に接続されており、上記各アンテナ２〜６からの受信信号は、夫々、ＶＵ・ＣＳブースタ１８に入力される。ＶＵ・ＣＳブースタ１８は、本発明の受信信号増幅手段に相当し、出力端子に受ける電圧信号によって動作する。そして、各入力端子に各アンテナ２〜６からの受信信号が入力されると、これら各受信信号を増幅し、更に混合して、出力端子から出力する。また、ＶＵ・ＣＳブースタ１８においては、出力端子とＣＳアンテナ２からの受信信号を受ける入力端子とが、チョークコイル等を介して接続されており、出力端子に入力された電圧信号を、同軸ケーブルを介して入力端子からＣＳアンテナ２側に出力できるようにされている。
【００３３】
なお、ＶＵ・ＣＳブースタ１８は、出力端子に直流１１Ｖが入力された場合であっても直流１５Ｖが入力された場合であっても動作できるように、出力端子に入力された電圧信号から内部回路駆動のための定電圧を生成する電源回路を備える。また、ＶＵ・ＣＳブースタ１８は、上記各アンテナからの受信信号の全てを増幅するように構成されていてもよく、必要に応じてその受信信号の一部（例えばＶＨＦアンテナ４からの受信信号とＵＨＦアンテナ６からの受信信号）を増幅するように構成されていてもよい。
【００３４】
次に、ＶＵ・ＣＳブースタ１８の出力端子は、同軸ケーブルを介して分配器１０の入力端子に接続されており、上記混合された各アンテナ２〜６からの受信信号は分配器１０に入力される。そして、この受信信号は、分配器１０内で４分配され、分配器１０の分配出力端子（４個）から夫々出力される。また、分配器１０の４個の分配出力端子の内の一つと、分配器１０の入力端子とは、チョークコイル等を介して接続されている。つまり、この分配器１０は、所謂電流通過型のものであり、電流通過用の分配出力端子に入力された電圧信号を入力端子からＶＵ・ＣＳブースタ１８に出力することができる。
【００３５】
次に、分配器１０の各分配出力端子は、夫々、同軸ケーブルや各部屋に設けられた端子等を介して、ＣＳチューナ１４やテレビ受像機１２等の端末装置に接続されるが、分配器１０の４個の分配出力端子の内、上記電流通過用の分配出力端子から端末装置に至る伝送経路（同軸ケーブル）上には、本発明の電源供給手段としての電源装置２０が設けられている。
【００３６】
この電源装置２０の受信信号の入力端子ＴIN（図２参照）には、同軸ケーブルを介して分配器１０の分配出力端子が接続され、受信信号の出力端子ＴOUT （図２参照）には、同軸ケーブル等を介して、ＣＳチューナ１４に接続されている。なお、ＣＳチューナ１４は、受信信号の入力端子から、ＣＳアンテナ２に対する偏波切換・電源供給用の２種類の電圧信号（垂直偏波受信時には直流１１Ｖ，水平偏波受信時には直流１５Ｖとなる）を出力できるように構成された一般的なＣＳチューナである。
【００３７】
次に、電源装置２０の構成を詳しく説明する。
図２に示すように、電源装置２０は、ＡＣプラグを介して入力される商用電源からの交流電圧（例えば交流１００Ｖ）を、所定の交流電圧（例えば交流２４Ｖ）に変圧する電源トランス２２と、電源トランス２２による変圧後の交流電圧を全波整流して直流電源電圧を生成する全波整流回路２４と、全波整流回路２４からの出力電圧を受けて、所定の直流定電圧（本実施例では直流１５Ｖ）を生成する定電圧回路２６と、定電圧回路２６にて生成された直流定電圧１５Ｖを受けて、これよりも低い直流定電圧（本実施例では直流１１Ｖ）を生成する定電圧回路２８とを備える。
【００３８】
定電圧回路２６，２８は、ＶＵ・ＣＳブースタ１８とＣＳアンテナの受信部２ｃとを同時に動作させるに充分な電力量の電圧信号（直流１５Ｖ又は直流１１Ｖ）を生成するためのものであり、夫々、１５Ｖ出力，１１Ｖ出力の３端子レギュレータ２６ａ，２８ａを中心に構成されている。そして、定電圧回路２６には、３端子レギュレータ２６ａからの出力（直流１５Ｖ）を安定化させるためのコンデンサＣ２，Ｃ３及びチョークコイルＬ３が設けられ、定電圧回路２８には、３端子レギュレータ２８ａからの出力（直流１１Ｖ）を安定化させるためのコンデンサＣ４が設けられている。
【００３９】
また、電源装置２０には、分配器１０から入力端子ＴINに入力された上記各アンテナからの受信信号を、入力端子ＴIN−出力端子ＴOUT 間に接続された直流及び低周波信号遮断・高周波信号通過用のコンデンサＣ１を介して、出力端子ＴOUT から端末（つまりＣＳチューナ１４）に出力すると共に、定電圧回路２６又は２８で生成された直流定電圧（直流１１Ｖ又は直流１５Ｖ）を、一端が入力端子ＴINに接続された直流及び低周波信号通過・高周波信号遮断用のチョークコイルＬ２を介して、入力端子ＴINから分配器１０側に出力し、更に、ＣＳチューナ１４から出力され出力端子ＴOUT に入力された電圧信号（直流１１Ｖ又は直流１５Ｖ）を、一端が出力端子ＴOUT に接続された直流及び低周波信号通過・高周波信号遮断用のチョークコイルＬ１を介して内部に取り込む、電源分離回路３２が備えられている。
【００４０】
そして、電源分離回路３２のチョークコイルＬ１を介して入力されたＣＳチューナ１４からの電圧信号は、偏波切換信号として電圧判定回路３４に入力され、電圧判定回路３４において、その偏波切換信号の電圧レベルから、現在端末側では、垂直偏波及び水平偏波のいずれの受信信号が必要であるのかが判断される。
【００４１】
即ち、電圧判定回路３４は、カソードが抵抗器Ｒ２を介してチョークコイルＬ１の他端に接続されたツェナーダイオードＤ１と、コレクタが抵抗器Ｒ１及びリレー３０のリレーコイル３０ｂを介してチョークコイルＬ１の他端に接続され、ベースがツェナーダイオードＤ１のアノードに接続されると共に抵抗器Ｒ３を介して接地され、エミッタがそのまま接地されたＮＰＮ型のトランジスタＴＲ１とを備え、チョークコイルＬ１を介して偏波切換信号として入力された電圧信号の電圧レベルが、ツェナーダイオードＤ１の降伏電圧及び抵抗器Ｒ２，Ｒ３の抵抗値で決定される判定電圧（例えば直流１３Ｖ）以上であるとき（つまり、水平偏波の受信信号が必要なとき）には、トランジスタＴＲ１がオンして、リレーコイル３０ｂに電流を流し、逆に、チョークコイルＬ１を介して入力された電圧信号の電圧レベルが、上記判定電圧よりも低いとき（つまり、垂直偏波の受信信号が必要なとき）には、トランジスタＴＲ１がオフして、リレーコイル３０ｂへの通電を遮断するよう動作する。
【００４２】
また、リレー３０には、リレーコイル３０ｂの通電時には、電源分離回路３２のチョークコイルＬ２の他端を定電圧回路２６の出力に接続し、リレーコイル３０ｂの非通電時には、チョークコイルＬ２の他端を定電圧回路２８の出力に接続するリレースイッチ３０ａが備えられている。
【００４３】
この結果、ＣＳチューナ１４の入力端子から、垂直偏波選択用の電圧信号（直流１１Ｖ）が出力されているときには、電圧判定回路３４内のトランジスタＴＲ１がオフ状態となって、リレーコイル３０ｂが非通電状態となり、定電圧回路２８にて生成された直流１１Ｖの電圧信号が、分配器１０側に出力され、逆に、ＣＳチューナ１４の入力端子から、水平偏波選択用の電圧信号（直流１５Ｖ）が出力されているときには、電圧判定回路３４内のトランジスタＴＲ１がオン状態となって、リレーコイル３０ｂが通電状態となり、定電圧回路２６にて生成された直流１５Ｖの電圧信号が、分配器１０側に出力されることになる。
【００４４】
そして、この電圧信号は、分配器１０及び同軸ケーブルを介してＶＵ・ＣＳブースタ１８の出力端子に入力され、更に、ＶＵ・ＣＳブースタ１８の入力端子から同軸ケーブルを介してＣＳアンテナ２の受信部２ｃの出力端子に入力される。従って、ＶＵ・ＣＳブースタ１８及び受信部２ｃは、電源装置２０の入力端子ＴINから出力された電圧信号（１１Ｖ又は１５Ｖ）により動作し、且つ、受信部２ｃは、その電圧信号に応じた垂直又は水平偏波の受信信号を出力端子から出力することになる。
【００４５】
そしてこのように本実施例の共同受信システムによれば、ＶＵ・ＣＳブースタ１８を動作させるために、ＶＵ・ＣＳブースタ１８に商用電源から電源供給を受けて内部回路駆動用の電源電圧を生成する電圧回路を設けるとか、或は、ＶＵ・ＣＳブースタ１８に受信信号伝送用の同軸ケーブルとは別系統で電源供給を行なうといった必要はなく、受信信号伝送用の一本の同軸ケーブルだけでＶＵ・ＣＳブースタ１８及びＣＳアンテナ２の受信部２ｃへの電源供給並びに偏波面切換を行なうことができるので、共同受信システムを実現する上で配線作業を極めて簡単に行なうことができる。また、例えば、地上放送受信用或は地上放送とＢＳ放送受信用の既存の共同受信システムを、ＣＳ放送を受信可能な共同受信システムに変更するような場合であっても、ブースタや分配器等の受信機器をＣＳ対応の機器に変更するだけでよく、システムの変更作業も容易である。
【００４６】
なお、本実施例においては、電源トランス２２及び全波整流回路２４が本発明（請求項５）の変圧・整流部に、電源分離回路３２内のチョークコイルＬ１が本発明（請求項５）の偏波切換信号抽出部に、電圧判定回路３４及びリレー３０を構成するリレーコイル３０ｂが本発明（請求項５）の判定部に、定電圧回路２６，２８及びリレー３０を構成するリレースイッチ３０ａが本発明（請求項５）の定電圧電源部に、電源分離回路３２内のチョークコイルＬ２及びコンデンサＣ１が本発明（請求項５）の電圧信号重畳部に、夫々相当する。
【００４７】
ここで、本実施例では、電源装置２０において、２つの定電圧回路２８，２６を用いて、第１電圧信号及び第２電圧信号としての直流１１Ｖ，直流１５Ｖを生成するものとして説明したが、例えば図３に如く、上記２つの定電圧回路２６，２８に代えて、出力電圧を直流１１Ｖと直流１５Ｖとのいずれかに切り換え可能な出力可変定電圧回路２９を設け、電圧判定回路３４による判定結果に応じて、この定電圧回路２９からの出力電圧を直接切り換えるようにしてもよい。
【００４８】
即ち、図３に示す出力可変定電圧回路２９は、基本的には、図２に示した定電圧回路２６と同じで、３端子レギュレータ２９ａと、電圧安定化用コンデンサＣ２，Ｃ３とで主要部を構成してある。図２のものと異なる点は、３端子レギュレータ２９ａの基準電位設定用端子を、抵抗器Ｒ４を介して定電圧出力用端子に接続すると共に、リレー３０のリレースイッチ３０ａに接続し、基準電位設定用端子を、リレースイッチ３０ａにより、直接接地するか、抵抗器Ｒ５を介して接地するかを切り換えるようにしたことである。
【００４９】
そして、このように構成された出力可変定電圧回路２９では、リレースイッチ３０ａが３端子レギュレータ２９ａの基準電位設定用端子を直接接地しているときには、出力電圧が予め設定された設定電圧となり、リレースイッチ３０ａが３端子レギュレータ２９ａの基準電位設定用端子を抵抗器Ｒ５を介して接地しているときには、出力電圧が、設定電圧よりも抵抗器Ｒ５の両端電圧分だけ高い電圧となる。
【００５０】
そこで、図３に示す出力可変定電圧回路２９では、３端子レギュレータ２９ａに１１Ｖ出力のものを用い、抵抗器Ｒ４，Ｒ５の抵抗値を、３端子レギュレータ２９ａの出力が直流１５Ｖであるときに、抵抗器Ｒ５の両端電圧が４Ｖとなるように設定することにより、リレー３０におけるリレーコイル３０ｂの通電・非通電によって出力電圧を１１Ｖ又は１５Ｖに切り換えることができるようにされている。
【００５１】
従って、図２に示した電源装置２０において、定電圧回路２６，２８の代わりに図３に示す出力可変定電圧回路２９を用いるようにしても、電圧判定回路３４の動作によって、ＶＵ・ＣＳブースタ１８及びＣＳアンテナ２の受信部２ｃに供給する電圧信号を、直流１１Ｖ及び直流１５Ｖのいずれかに切り換えることが可能になり、しかも、電源装置２０の構成をより簡単にできる。
［第２実施例］
また次に、ＣＳアンテナには、複数のＣＳからの送信電波を受信できるように、反射鏡の焦点位置付近に各ＣＳからの送信電波を受信するための複数の受信部を設けたマルチビームアンテナが知られている。そして、このようなマルチビームアンテナを用いてＣＳ放送を受信する衛星受信システムであっても、本発明を適用することができる。以下、このようにＣＳ放送受信のためにマルチビームアンテナを用いた共同受信システムについて、本発明の第２実施例として説明する。
【００５２】
本実施例の共同受信システムにおいては、例えば図４（ａ）に示すように、ＣＳアンテナとして、２つのＣＳからの送信電波を受信できるようにしたマルチビームアンテナ４０を備えた共同受信システムを構成する場合には、マルチビームアンテナ４０に設けられた各ＣＳに対応する２つの受信部４０ａ，４０ｂからの受信信号のいずれかをＶＵ・ＣＳブースタ１８に入力する切換器４２を設ける。
【００５３】
また、電源装置２０′には、図５に示す如く、図２に示した電源装置２０に、更に、受信信号に比べて周波数が充分小さい低周波（例えば２０〜３０ｋＨｚ）のパルス信号を発生するパルス発生回路５０、リレー３０と電源分離回路３２との間の電圧信号（直流１１Ｖ又は直流１５Ｖ）の出力経路にパルス信号を重畳するパルス重畳回路５２、操作部５４ａからの信号を受けて、パルス発生回路５０からのパルス信号をパルス重畳回路５２に入力するか否かを切り換える切換スイッチ（例えばアナログスイッチ）５４、を設けたものを使用する。
【００５４】
また更に、切換器４２は、例えば、図４（ｂ）に示す如く、上記２つの受信部４０ａ，４０ｂからの受信信号を受けて、その内の一方を端末側に出力する高周波スイッチ４２ａと、端末側から入力される偏波切換・電源供給兼用の電圧信号（直流１１Ｖ又は直流１５Ｖ）に上記低周波のパルス信号が重畳されているか否かを判別し、その判別結果（パルス信号の有無）に応じて高周波スイッチ４２ａを受信部４０ａ側又は受信部４０ｂ側に切り換えるパルス判別回路４２ｂとを設ける。
【００５５】
なお、共同受信システム全体では、上記説明部分以外は、全て図１，図２に示した前記実施例と全く同様に構成すればよい。
そして、このように構成した共同受信システムによれば、電源装置２０′に設けられた操作部５４ａを操作することにより切換スイッチ５４をオンし、パルス発生回路５０からのパルス信号をパルス重畳回路５２に入力させれば、リレー３０から電源分離回路３２のチョークコイルＬ２を介して分配器１０側に出力される電圧信号（直流１１Ｖ又は直流１５Ｖ）にパルス信号が重畳され、逆に操作部５４ａを操作することにより切換スイッチ５４をオフすれば、リレー３０から出力される電圧信号がそのまま分配器１０側に出力されることになる。
そして、切換器４２は、端末側からの電圧信号にパルス信号が重畳されているか否かによって、受信信号を出力する受信部を切り換えることから、使用者は、電源装置２０′に設けられた操作部５４ａを操作することにより、ＣＳチューナ１４にて受信したいＣＳを切り換えることができるようになる。
【００５６】
尚、上記各実施例では、分配器１０は、電源装置２０，２０′が接続される特定の分配出力端子と入力端子との間が電流通過可能になっているものとしたが、例えば、分配器１０の各分配出力端子と入力端子とをチョークコイルとダイオードとの直列回路等を介して夫々接続し、全ての分配出力端子と入力端子との間を電流通過が可能になるよう、しかも相互に異なる出力端子同士は電流通過しないよう構成してもよい。そして、このように構成すれば、分配器１０のいずれの分配出力端子からでもＶＵ・ＣＳブースタ１８及びＣＳアンテナ２の受信部２ｃ（又はマルチビームアンテナ４０の各受信部４０ａ，４０ｂ）に電源供給を行なうことができるようになり、電源装置２０，２０′やＣＳチューナ１４を設ける位置を適宜変更することが可能になる。
【００５７】
以上、本発明の実施例として、出力端子から端末側に出力する受信信号の偏波面を端末側から入力される電圧信号に応じて切換可能な受信部（つまり本発明の偏波切換手段としての機能を有する受信部）を備えたＣＳアンテナ２，４０を利用してＣＳ放送を受信する共同受信システムについて説明したが、ＣＳアンテナには、受信部として、偏波切換機能を有する受信部以外に、２種類の偏波信号を個々に周波数変換可能な一対の周波数変換部（所謂コンバータ）を備えたものや、特定の偏波信号のみを周波数変換可能な周波数変換部を備えたもの等が知られている。そして、このような受信部を備えたＣＳアンテナを利用してＣＳ放送を受信する場合には、ＣＳアンテナから各偏波面に対応した２種類の受信信号が個々に出力されることになり、上記第１，第２実施例の構成では衛星受信システムを構築できない。そこで次に、本発明の第３実施例、及び第４実施例として、２つの周波数変換部を備え、各偏波面の受信信号を専用の出力端子から同時に出力するように構成された受信部を有するＣＳアンテナを用いてＣＳ放送を受信するシステムについて説明する。
［第３実施例］
図６は第３実施例の衛星受信システムを表す。
【００５８】
本実施例の衛星受信システムは、請求項３に記載の発明を適用した基本的な衛星受信システムであり、図６に示す如く、ＣＳから送信された直交２偏波の送信電波を受信するＣＳアンテナ６０として、オフセット型パラボラアンテナを備え、このＣＳアンテナ６０からの受信信号を増幅して、端末側のＣＳチューナ１４に伝送するシステムである。
【００５９】
ＣＳアンテナ６０は、反射鏡６０ａと、支持腕６０ｂを介して反射鏡６０ａの焦点位置に配置された受信部６０ｃとを備えたオフセット型パラボラアンテナであるが、受信部６０ｃは、一般に２出力型コンバータと呼ばれ、反射鏡６０ａにて集波されたＣＳからの送信電波を受信・増幅し、夫々独立に偏波の選択をして、所定周波数帯（例えば、９５０〜１５００ＭＨｚ）の受信信号に変換する一対のコンバータ（つまり周波数変換部）を備えた周知のものである。
【００６０】
また受信部６０ｃを構成する一対のコンバータは、自己の出力端子に供給される電圧信号に応じて夫々独立に垂直偏波及び水平偏波を選択するようにされており、その出力端子には、受信信号伝送用の同軸ケーブルを介して、受信信号増幅手段としての増幅器６２ｖ，６２ｈの入力端子が夫々接続されている。なお、各増幅器の符号６２に付与した添え字ｖ，ｈは、夫々、垂直偏波，水平偏波を表わし、増幅器６２ｖは垂直偏波の受信信号増幅用であり、増幅器６２ｈは水平偏波の受信信号増幅用である。
【００６１】
一方、各増幅器６２の出力端子は、経路切換器６４の２つの入力端子に夫々接続され、更に、経路切換器６４の出力端子（１個）は、同軸ケーブルを介して電源装置２０に接続されている。尚、電源装置２０は、上記各実施例で使用される電源装置と全く同様のものであり、この電源装置２０の端末側には、上記各実施例と同様、ＣＳチューナ１４やテレビ受像機１２等が配置されている。このため、電源装置２０により、ＣＳチューナ１４から出力された偏波切換用の電圧信号に対応した偏波切換・電源供給兼用の電圧信号を生成して、増幅器６２ｖ，６２ｈ及びＣＳアンテナ６０の受信部６０ｃ（詳しくは一対のコンバータ）に供給できると共に、ＣＳアンテナ６０側からの受信信号をＣＳチューナ１４に伝送できる。
【００６２】
また次に、経路切換器６４は、本発明（請求項３）の偏波切換手段に相当するものであり、増幅器６２ｖ，６２ｈに接続された入力端子の一方を選択的に出力端子に接続する、信号経路切換手段としての切換スイッチ６４ａ、及び、電源装置２０からの電圧信号が垂直偏波選択用の第１電圧信号（直流１１Ｖ）であるか水平偏波選択用の第２電圧信号であるかを判定して、電圧信号が直流１１Ｖであれば、切換スイッチ６４ａを増幅器６２ｖに接続された入力端子側に、電圧信号が直流１５Ｖであれば、切換スイッチ６４ａを増幅器６２ｈに接続された入力端子側に切り換える、電圧判定手段としての電圧判別回路６４ｂを備える。
【００６３】
この結果、本実施例の衛星受信システムによれば、電源装置２０からの電圧信号が垂直偏波選択用の第１電圧信号（直流１１Ｖ）であれば、ＣＳアンテナ６０の受信部６０ｃにおいて垂直偏波信号を受信信号に変換して出力するコンバータから垂直偏波信号増幅用の増幅器６２ｖ，電源装置２０を介してＣＳチューナ１４に至る伝送経路が形成され、電源装置２０からの電圧信号が水平偏波選択用の第２電圧信号（直流１５Ｖ）であれば、ＣＳアンテナ６０の受信部６０ｃにおいて水平偏波信号を受信信号に変換して出力するコンバータから水平偏波信号増幅用の増幅器６２ｈ，電源装置２０を介してＣＳチューナ１４に至る伝送経路が形成されることになり、電源装置２０にて生成された電圧信号にて、その電圧信号に対応した増幅器及びコンバータを動作させることが可能になる。
［第４実施例］
次に図７は請求項４に記載の発明が適用された第４実施例の共同受信システムを表す。
【００６４】
本実施例の共同受信システムは、受信アンテナとして、上記第４実施例と同様に構成されたＣＳアンテナ６０を備えると共に、ＶＨＦアンテナ４及びＵＨＦアンテナ６を備え、更に、端末側から供給される電圧信号（例えば直流１５Ｖ）の電圧信号により動作して放送衛星（ＢＳ）からの放送電波を受信し、所定周波数帯（例えば１．０〜１．３ＧＨｚ）の受信信号に変換して出力する受信部６６ａを備えたＢＳアンテナ６６を備える。尚、ＣＳアンテナ６０の受信部６０ｃに設けられた一対のコンバータは、垂直・水平の各偏波信号を、ＢＳアンテナ６６からの受信信号よりも高い周波数帯（例えば１．３８〜１．８８ＧＨｚ）の受信信号に変換して出力する。
【００６５】
そして、ＶＨＦアンテナ４，ＵＨＦアンテナ６，及びＢＳアンテナ６６からの受信信号（以下、ＶＵ・ＢＳ信号という）は増幅器６８に入力され、この増幅器６８において夫々増幅・混合されて、端末側に出力される。そして、この増幅器６８の出力端子は、同軸ケーブルを介して分配器７０のＶＵ・ＢＳ信号専用の入力端子７０ｉに接続され、ＣＳアンテナ６０の受信部６０ｃを構成する一対のコンバータの出力端子は、夫々、分配器７０の垂直・水平偏波の受信信号専用の入力端子７０ｖ，７０ｈに接続されている。
【００６６】
分配器７０は、本発明（請求項４）の衛星信号分配手段に相当するものであり、上記入力端子７０ｉに入力されたＶＵ・ＢＳ信号を入力端子７０ｖ及び７０ｈに入力された各偏波面の受信信号と混合して、その混合信号（以下、垂直受信信号，水平受信信号という）を夫々専用の分配回路７２ｖ，７２ｈにて４分配し、その４分配した垂直受信信号及び水平受信信号のいずれかを４個の分配出力端子７０ａ〜７０ｄから端末側に出力する。そして、各分配出力端子７０ａ〜７０ｄは、受信信号伝送用の同軸ケーブルを介して、当該共同受信システムが設置される施設の各部屋に配置されたＣＳチューナ１４に夫々接続されている。
【００６７】
尚、本実施例では、分配出力端子７０ｄからＣＳチューナ１４に至る伝送経路（同軸ケーブル）上に、上記各実施例と同様の電源装置２０が設けられ、この電源装置２０にて、ＣＳチューナ１４から出力された偏波切換信号に対応した電圧信号を生成し、この生成した電圧信号にて、分配器７０の内部回路，増幅器６８，ＢＳアンテナの受信部６６ａ，及びＣＳアンテナ６０の受信部６０ｃ（詳しくは一対のコンバータ）に電源供給を行うようにされている。また、図に示すように、電源装置からＣＳチューナ１４に至る同軸ケーブル上には、ＶＵ・ＢＳ信号とＣＳアンテナ６０からの受信信号（以下、ＣＳ信号という）とを分離し、ＣＳ信号のみをＣＳチューナに伝送する分波器ＳＰ１が設けられており、更にこの分波器ＳＰ１にて分離されたＶＵ・ＢＳ信号は、ＶＵ・ＢＳ信号をＶＵ信号とＢＳ信号とに分離してテレビ受像機１２に入力する分波器ＳＰ２に入力される。
【００６８】
次に、分配器７０内では、入力端子７０ｉに入力されたＶＵ・ＢＳ信号が分配回路７２ｉにて２分配される。そして、この２分配されたＶＵ・ＢＳ信号は、夫々、ＶＵ・ＢＳ信号通過・ＣＳ信号遮断用のローパスフィルタ（ＬＰＦ）７４ａ，７４ｂ、及び直流カット・高周波成分通過用のコンデンサＣ11，Ｃ12を介して上記各分配回路７２ｖ，７２ｈに入力される。また、入力端子７０ｖ，７０ｈに夫々入力された垂直・水平偏波のＣＳ信号は、夫々、直流カット・高周波成分通過用のコンデンサＣ13，Ｃ14を介して、各信号増幅用の増幅回路７６ｖ，７６ｈに入力され、これら各増幅回路７６ｖ，７６ｈにて増幅された後、ＣＳ信号通過・ＶＵ・ＢＳ信号遮断用のハイパスフィルタ（ＨＰＦ）７８ｖ，７８ｈ及び上記各コンデンサＣ11，Ｃ12を介して、上記各分配回路７２ｖ，７２ｈに入力される。この結果、分配回路７２ｖ，７２ｈには、上記のように、ＶＵ・ＢＳ信号と垂直・水平各偏波のＣＳ信号とを混合した垂直受信信号，水平受信信号が夫々入力されることになる。
【００６９】
一方、上記各分配出力端子７０ａ〜７０ｄには、夫々、本発明（請求項４）の偏波切換信号としての偏波切換回路８０ａ〜８０ｄが接続されている。この偏波切換回路８０ａ〜８０ｄは、上記各分配回路７２ｖ，７２ｈにて４分配された垂直受信信号及び水平受信信号を夫々受けて、端末側より分配出力端子７０ａ〜７０ｄに供給された電圧信号に対応した受信信号を選択し、これを対応する分配出力端子７０ａ〜７０ｄから端末側に出力するためのものであり、各分配回路７２ｖ，７２ｈから分配・出力された垂直受信信号及び水平受信信号の一方を選択し、直流カット・高周波成分通過用のコンデンサＣａ〜Ｃｄを介して対応する分配出力端子７０ａ〜７０ｄに出力する、分配出力切換手段としての切換スイッチ８２ａ〜８２ｄと、分配出力端子７０ａ〜７０ｄに端末側より入力された電圧信号（換言すれば偏波切換信号）を、高周波成分カット用のチョークコイルＬａ〜Ｌｄを介して取り込み、その取り込んだ電圧信号の電圧レベルから、垂直受信信号及び水平受信信号の内のいずれを選択するかを判定し、その判定結果に従い切換スイッチ８２ａ〜８２ｄを駆動する、電圧判定手段としての判定・駆動回路８４ａ〜８４ｄとから構成されている。この結果、本実施例の分配器７０においては、分配出力端子７０ａ〜７０ｄに接続されたＣＳチューナ１４等の端末装置に対して、その端末装置が希望する偏波面の受信信号を出力することができる。
【００７０】
また次に、上記４個の分配出力端子７０ａ〜７０ｄの内、電源装置２０が接続された分配出力端子７０ｄには、チョークコイルＬｄを介して、電源回路９０が接続されている。この電源回路９０は、電源装置２０が生成した電圧信号を受けて、分配器７０に設けられたＣＳ信号増幅用の増幅回路７６ｖ，７６ｈ、及びＣＳアンテナ６０の受信部６０ｃに設けられた垂直偏波受信用のコンバータを動作させるための電圧信号（直流１１Ｖ）を生成する３端子レギュレータ９２と、ＢＳアンテナ６６から入力端子７０ｉに至る伝送経路上に設けられた増幅器６８，ＢＳアンテナ６６の受信部６６ａ，及びＣＳアンテナ６０の受信部６０ｃに設けられた水平偏波受信用のコンバータを動作させるための電圧信号（直流１５Ｖ）を生成するＤＣ−ＤＣコンバータ９４とから構成されている。そして、３端子レギュレータ９２で生成された電圧信号（直流１１Ｖ）は、各増幅回路７６ｖ，７６ｈに直接供給されると共に、チョークコイルＬ11，入力端子７０ｖ及び伝送経路を介してＣＳアンテナ６０側に供給され、ＤＣ−ＤＣコンバータ９４にて生成された電圧信号（直流１５Ｖ）は、チョークコイルＬ12，入力端子７０ｈ及び伝送経路を介してＣＳアンテナ６０ｂ側に供給されると共に、チョークコイルＬ13，ＬＰＦ７４ｂ，分配回路７２ｉ，入力端子７０ｉ及び伝送経路を介して増幅器６８に供給され、更にこの増幅器６８を介してＢＳアンテナ６６側に供給される。
【００７１】
従って、本実施例の共同受信システムにおいても、上記各実施例のシステムと同様、電源装置２０を利用して、ＣＳアンテナ６０及びＣＳ信号増幅用の増幅回路７６ｖ，７６ｈをはじめとするシステム全体に電源供給を行うことができ、分配器７０の各分配出力端子７０ａ〜７０ｄに接続された端末側にて所望の偏波面のＣＳ信号を受信できる複雑なシステムであるにも関わらず、システム全体の電源供給を容易に実現することができる。
【図面の簡単な説明】
【図１】  第１実施例の共同受信システムの構成を表わす構成図である。
【図２】  第１実施例の電源装置の構成を表わす構成図である。
【図３】  図２に示した電源装置の変形例を表わす構成図である。
【図４】  第２実施例の共同受信システムの構成を表わす構成図である。
【図５】  第２実施例の共同受信システムで用いられる電源装置の構成を表わす構成図である。
【図６】  第３実施例の衛星受信システムの構成を表す構成図である。
【図７】  第４実施例の共同受信システムの構成を表す構成図である。
【符号の説明】
２，６０…ＣＳアンテナ    ４０…マルチビームアンテナ
２ｃ，４０ａ，４０ｂ，６０ｃ…受信部    １０，７０…分配器
１４…ＣＳチューナ    １８…ＶＵ・ＣＳブースタ    ２０…電源装置
２２…電源トランス    ２４…全波整流回路    ２６，２８…定電圧回路
２９…出力可変定電圧回路    ３０…リレー    ３０ａ…リレースイッチ
３０ｂ…リレーコイル    ２６ａ，２８ａ，２９ａ…３端子レギュレータ
３２…電源分離回路    ３４…電圧判定回路    ４２…切換器
４２ａ…高周波スイッチ    ４２ｂ…パルス判別回路
５０…パルス発生回路    ５２…パルス重畳回路    ５４…切換スイッチ
５４ａ…操作部    Ｃ１…コンデンサ    Ｌ１，Ｌ２…チョークコイル
６２ｖ，６２ｈ，６８…増幅器    ６４…経路切換器
６４ａ，８２ａ〜８２ｄ……切換スイッチ    ６４ｂ…電圧判別回路
６６…ＢＳアンテナ    ７２ｉ，７２ｖ，７２ｈ…分配回路
７６ｖ，７６ｈ…増幅回路    ８０ａ〜８０ｄ…偏波切換回路
８４ａ〜８４ｄ…判定・駆動回路    ９０…電源回路
【図１】
0003824369.tif 000002
【図２】
0003824369.tif 000003
【図３】
0003824369.tif 000004
【図４】
0003824369.tif 000005
【図５】
0003824369.tif 000006
【図６】
0003824369.tif 000007
【図７】
0003824369.tif 000008